【手続補正書】
【提出日】平成24年3月19日(2012.3.19)
【手続補正１】
【補正対象書類名】明細書
【補正対象項目名】００８４
【補正方法】変更
【補正の内容】
【００８４】
本出願では、以下の態様が提供される。
１．  スライド塗布の方法であって、少なくとも１種の溶媒、少なくとも１種の単一ユニットポリマー前駆体、又はそれらの組み合わせを含有する第１の流体を提供し、第２の複数ユニットポリマー前駆体を含有する第２の流体を提供し、前記第１の流体中の前記少なくとも１種の溶媒又は前記少なくとも１種の単一ユニットポリマー前駆体は、前記第２の流体の複数ユニットポリマー前駆体と相溶性を有し、前記第１の流体を第１のスライド面を下るように流して、前記第１のスライド面上に第１の流体層を形成し、前記第１のスライド面は基体に隣接して配置されており、前記第２の流体を第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、前記第１の流体層及び第２の流体層を前記第１のスライド面から、前記第１の塗布層及び第２の塗布層を形成する前記基体へ流すことにより、前記基体を前記第１の流体及び第２の流体で塗布し、前記基体を移動し、前記第１の塗布層、第２の塗布層、又はそれらのいくつかの組み合わせの少なくとも一部を硬化させる、ことを含む、方法。
２．  前記第１の流体が、少なくとも１種の溶媒と、少なくとも１種の単一ユニットポリマー前駆体とを含有する、態様１に記載の方法。
３．  前記第１の流体が約５センチポイズ以下の粘度を有する、態様１又は２に記載の方法。
４．  前記第１の流体が、約１０マイクロメートル以下の厚さで前記基体上に塗布される、態様１〜３のいずれか一項に記載の方法。
５．  前記第２の流体が、第２の単一ユニットポリマー前駆体を更に含有する、態様１〜４のいずれか一項に記載の方法。
６．  前記第２の流体が、少なくとも１種の第２の溶媒を更に含有する、態様１〜５のいずれか一項に記載の方法。
７．  前記第２の流体が約１０重量％以下の水を含有する、態様１〜６のいずれか一項に記載の方法。
８．  前記複数ユニットポリマー前駆体がアクリレートである、態様１〜７のいずれか一項に記載の方法。
９．  前記複数ユニットポリマー前駆体がエポキシアクリレート、ウレタンアクリレート、カルボン酸半エステル、ポリエステルアクリレート、アクリル化アクリル、又はそれらの組み合わせである、態様８に記載の方法。
１０．  前記第２の流体が、塗布前、第２の流体の総重量に基づき約１５重量％を超えるポリマーを有さない、態様１〜９のいずれか一項に記載の方法。
１１．  前記第２の流体の粘度が、前記第１の流体の粘度の少なくとも約１０倍である、態様１〜１０のいずれか一項に記載の方法。
１２．  前記第２の流体がビーズを更に含有する、態様１〜１１のいずれか一項に記載の方法。
１３．  前記第２の流体が、約１０ミクロン以上の厚さで前記基体上に塗布される、態様１〜１２のいずれか一項に記載の方法。
１４．  前記第１の流体、第２の流体、又はそれらのいくつかの組み合わせの少なくとも一部を乾燥することを更に含む、態様１〜１３のいずれか一項に記載の方法。
１５．  硬化が紫外線放射源、赤外線放射源、Ｘ線源、γ線源、可視光源、マイクロ波源、電子ビーム源、熱、又はそれらの組み合わせを使用して達成される、態様１〜１４のいずれか一項に記載の方法。
１６．  前記基体が少なくとも約０．５メートル／秒の速度で移動される、態様１５に記載の方法。
１７．  スライド塗布の方法であって、少なくとも１種の溶媒、少なくとも１種の単一ユニットポリマー前駆体、又はそれらの組み合わせを含有する第１の流体を提供し、複数ユニットポリマー前駆体及び単一ユニットポリマー前駆体を含有する第２の流体を提供し、前記第１の流体中の前記少なくとも１種の溶媒又は前記少なくとも１種の単一ユニットポリマー前駆体は、前記第２の流体の複数ユニットポリマー前駆体及び単一ユニットポリマー前駆体と相溶性を有し、前記第１の流体を第１のスライド面を下るように流して、前記第１のスライド面上に前記第１の流体層を形成し、前記第１のスライド面は前記基体に隣接して配置されており、前記第２の流体を前記第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、前記第１の流体層及び第２の流体層を前記第１のスライド面から、前記第１の塗布層及び第２の塗布層を形成する前記基体へ流すことにより、前記基体を前記第１の流体及び第２の流体で塗布し、ロールの使用を介して前記基体を前記第１のスライド面を通過させて移動し、前記第１の流体、第２の流体、又はそれらのいくつかの組み合わせの少なくとも一部を乾燥し、前記第１の塗布層、第２の塗布層、又はそれらのいくつかの組み合わせの少なくとも一部を硬化させる、ことを含む、方法。
１８．  前記第１の流体が、少なくとも１種の溶媒と、少なくとも１種の単一ユニットポリマー前駆体とを含有する態様１７に記載の方法。
１９．  前記第１の流体が、約１０マイクロメートル以下の厚さで前記基体上に塗布される、態様１７又は１８に記載の方法。
２０．  前記複数ユニットポリマー前駆体がアクリレートである、態様１７〜１９のいずれか一項に記載の方法。
２１．  前記複数ユニットポリマー前駆体が、エポキシアクリレート、ウレタンアクリレート、カルボン酸半エステル、ポリエステルアクリレート、アクリル化アクリル、又はそれらの組み合わせである、態様１７〜２０のいずれか一項に記載の方法。
２２．  前記第２の流体が、塗布前、前記第２の流体の総重量に基づき約１５重量％を超えるポリマーを有さない、態様１７〜２１のいずれか一項に記載の方法。
このように、２種以上の流体のスライド塗布の方法の実施形態が開示される。本開示が、開示されたもの以外の実施形態で実施されうることは当業者に理解されるであろう。開示された実施形態は、図示の目的のために示され、制限のために示されてはおらず、本開示は以下の特許請求の範囲によってのみ制限される。
【手続補正２】
【補正対象書類名】特許請求の範囲
【補正対象項目名】全文
【補正方法】変更
【補正の内容】
【特許請求の範囲】
【請求項１】
スライド塗布の方法であって、
少なくとも１種の溶媒、少なくとも１種の単一ユニットポリマー前駆体、又はそれらの組み合わせを含有する第１の流体を提供し、
第２の複数ユニットポリマー前駆体を含有する第２の流体を提供し、前記第１の流体中の前記少なくとも１種の溶媒又は前記少なくとも１種の単一ユニットポリマー前駆体は、前記第２の流体の複数ユニットポリマー前駆体と相溶性を有し、
前記第１の流体を第１のスライド面を下るように流して、前記第１のスライド面上に第１の流体層を形成し、前記第１のスライド面は基体に隣接して配置されており、
前記第２の流体を第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、
前記第１の流体層及び第２の流体層を前記第１のスライド面から、前記第１の塗布層及び第２の塗布層を形成する前記基体へ流すことにより、前記基体を前記第１の流体及び第２の流体で塗布し、
前記基体を移動し、
前記第１の塗布層、第２の塗布層、又はそれらのいくつかの組み合わせの少なくとも一部を硬化させる、ことを含む、方法。
【請求項２】
前記第１の流体が少なくとも１種の溶媒と少なくとも１種の単一ユニットポリマー前駆体とを含有し、前記第１の流体が約５センチポイズ以下の粘度を有し、且つ前記第１の流体が約１０マイクロメートル以下の厚さで前記基体上に塗布される、請求項１に記載の方法。
【請求項３】
前記第２の流体が、第２の単一ユニットポリマー前駆体及び少なくとも１種の第２の溶媒を更に含有し、且つ前記第２の流体が約１０重量％以下の水を含有する、請求項１又は２に記載の方法。